(57)【要約】【課題】ＩＣカード端末とこのＩＣカード端末との間でデータの集配信を行うデータ集配信サーバとの間のデータ授受を安価にかつ効率良く行うことを課題とする。【解決手段】集配信データを受け渡すためのハンディ端末１４を設け、このハンディ端末１４がＩＣカードに成りすましてカードかざし部１２を介したＩＣカード端末１１とのデータ授受を行い、これによりＩＣカード端末１１に集配信データ配送用のインターフェースを設けなくとも集配信データをデータ集配信サーバ１３との間で受け渡しを行う。【選択図】        図１
2006243970.tif 000002
【特許請求の範囲】
【請求項１】
ＩＣカードのインターフェースをなすかざし部を有するＩＣカード端末と該ＩＣカード端末との間でデータの集配信を行うデータ集配信サーバとを有するＩＣカードシステムであって、
前記ＩＣカードに成りすまして前記かざし部を介して前記ＩＣカード端末とデータ送受信を行う携帯端末装置を備え、
前記ＩＣカード端末は、前記携帯端末装置と前記かざし部を介して通信可能状態となった際に、前記携帯端末装置とデータ授受を行う
ことを特徴とするＩＣカードシステム。
【請求項２】
前記携帯端末装置は、前記かざし部を介して前記ＩＣカード端末とデータの送受信を行うＩＣカード端末用送受信手段と、前記データ集配信サーバとデータ送受信を行うサーバ用送受信手段と、前記ＩＣカード端末用送受信手段により前記ＩＣカード端末から受信した受信データを記憶する記憶手段と、前記かざし部との間で送受信可能状態となった際に、前記ＩＣカード端末用送受信手段により前記ＩＣカード端末に蓄積したデータを受信して前記記憶手段に記憶するとともに、前記データ集配信サーバとの間で送受信可能状態となった際に、前記記憶手段に記憶したデータを前記サーバ用送受信手段により前記データ集配信サーバに送信するよう制御する制御手段とを備えたことを特徴とする請求項１に記載のＩＣカードシステム。
【請求項３】
前記記憶手段は、前記ＩＣカード端末が前記ＩＣカードとの間で取引処理した取引ログ、イベント発生時に記憶したイベントログ及び／又は装置情報を前記データとして記憶することを特徴とする請求項２に記載のＩＣカードシステム。
【請求項４】
前記記憶手段は、前記サーバ用送受信手段により前記データ集配信サーバから受信したデータを記憶し、前記制御手段は、前記かざし部との間で送受信可能状態となった際に、前記記憶手段に記憶したデータを前記ＩＣカード端末用送受信手段により前記ＩＣカード端末に送信するよう制御することを特徴とする請求項２に記載のＩＣカードシステム。
【請求項５】
前記制御手段は、所定の入力部を用いて入力された各ＩＣカード端末個別の端末設定情報若しくは動作指示情報を前記記憶手段に記憶したデータとともに各ＩＣカード端末に送信制御することを特徴とする請求項４に記載のＩＣカードシステム。
【請求項６】
前記記憶手段は、前記ＩＣカード端末に設定するファームウエア、端末設定データ若しくは動作指示を前記データとして記憶することを特徴とする請求項４又は５に記載のＩＣカードシステム。
【請求項７】
前記ＩＣカード端末は、前記ＩＣカードの待ち受け状態中に所定の識別情報を受け付けた際に、該所定の識別情報の送信主が前記ＩＣカード若しくは前記携帯端末装置のいずれであるかを判定する判定手段と、前記判定手段により前記携帯端末装置であると判定された場合に、前記携帯端末装置とデータ送受信を行う送受信手段とを備えたことを特徴とする請求項１〜６のいずれか一つに記載のＩＣカードシステム。
【請求項８】
前記ＩＣカード端末は、前記ＩＣカードの待ち受け状態中に前記ＩＣカード若しくは携帯端末装置の接近を自動検知する自動検知手段をさらに備え、前記判定手段は、前記自動検知手段により検知された対象が前記ＩＣカード若しくは前記携帯端末装置のいずれであるかを判定することを特徴とする請求項７に記載のＩＣカードシステム。
【請求項９】
前記ＩＣカードは内部にアンテナを有する非接触ＩＣカードであり、前記かざし部は前記ＩＣカード若しくは前記携帯端末装置との間で非接触状態でのデータ送受信を行うことを特徴とする請求項１〜８のいずれか一つに記載のＩＣカードシステム。
【請求項１０】
前記ＩＣカード端末と前記携帯端末装置との間では、通信異常時発生時の復旧処理並びに認証処理を含むプロトコルでデータ送受信を行うことを特徴とする請求項１〜９のいずれか一つに記載のＩＣカードシステム。
【発明の詳細な説明】
【技術分野】
【０００１】
本発明は、ＩＣカードのインターフェースをなすかざし部を有するＩＣカード端末と該ＩＣカード端末との間でデータの集配信を行うデータ集配信サーバとを有するＩＣカードシステムに関し、特に、ＩＣカード端末とこのＩＣカード端末との間でデータの集配信を行うデータ集配信サーバとの間のデータ授受を安価にかつ効率良く行うことができるＩＣカードシステムに関する。
【背景技術】
【０００２】
最近、ＩＣカードの安全性及び利便性に着目して、住民基本台帳カード、鉄道乗車券、プリペイド型電子マネー並びにクレジットカード等様々な分野でＩＣカードが利用されつつある。このＩＣカードとは、プラスチックカードの中にＩＣチップを埋め込んだカードであり、特に利便性の高い非接触ＩＣカードは、プラスチックカード内に設けられたアンテナコイルを用いてＩＣカード端末（リーダ／ライタ）との間で非接触でデータ授受を行うものである。
【０００３】
具体的には、ＩＣカード端末のかざし部と呼ばれる部分に非接触ＩＣカードをかざすと、該非接触ＩＣカードはこのかざし部からの電磁波を受けて電力を生成するとともに、ＩＣカード端末から送信されたコマンドを受信、解析、処理し、結果の送信を行うことになる。例えば特許文献１には、このＩＣカード端末のかざし部に関する発明が開示されている。
【０００４】
ここで、上記ＩＣカード端末内には、非接触ＩＣカードを介した各種取引ログが内部に蓄積されるため、図７に示すように、かかるＩＣカード端末とデータ集配信を行うデータ集配信サーバとをケーブル（ＬＡＮやＲＳ−２３２Ｃ）で接続しておき、かかるＩＣカード端末内の取引ログを定期的にデータ集配信サーバに転送するのが一般的である。また、ＩＣカード端末の設定を行う場合や新たなファームウエアの導入を行う場合には、かかる設定データやファームウエアが上記ケーブルを介してデータ集配信サーバからＩＣカード端末に配信されていた。
【０００５】
【特許文献１】特開２００４−３５５５８０号公報
【発明の開示】
【発明が解決しようとする課題】
【０００６】
しかしながら、上記従来技術のようにＩＣカード端末とデータ集配信サーバを有線でケーブル接続することとしたのでは、設置場所の環境整備や設置場所を変更する場合にケーブルを取り回さねばならず、その作業労力が大きくなるという問題がある。また、本来ＩＣカード端末は小型・安価なものが望ましいが、ケーブル接続するためのインターフェースをＩＣカード端末に設けなければならず、装置の小型化やコスト低下の阻害要因になるという問題もある。
【０００７】
このため、ＩＣカード端末とデータ集配信サーバをケーブル接続するのではなく赤外線通信等を利用して無線によりデータ授受を行うことも考えられるが、この場合には、赤外線インターフェースをＩＣカード端末に設けなければならず、依然として装置の小型化やコスト低下のニーズに対応することができない。
【０００８】
このことから、非接触ＩＣカードをかざすためのかざし部を有するＩＣカード端末とこのＩＣカード端末との間でデータの集配信を行うデータ集配信サーバとの間のデータ授受をいかにして安価にかつ効率良く行うかが極めて重要な課題となっている。なお、かかる課題は接触型ＩＣカードを用いる場合にも同様に生ずる課題である。
【０００９】
この発明は、上記課題（問題点）に鑑みてなされたものであり、ＩＣカード端末とこのＩＣカード端末との間でデータの集配信を行うデータ集配信サーバとの間のデータ授受を安価にかつ効率良く行うことができるＩＣカードシステムを提供することを目的とする。
【課題を解決するための手段】
【００１０】
上述した課題を解決するため、本発明は、ＩＣカードのインターフェースをなすかざし部を有するＩＣカード端末と該ＩＣカード端末との間でデータの集配信を行うデータ集配信サーバとを有するＩＣカードシステムであって、前記ＩＣカードに成りすまして前記かざし部を介して前記ＩＣカード端末とデータ送受信を行う携帯端末装置を備え、前記ＩＣカード端末は、前記携帯端末装置と前記かざし部を介して通信可能状態となった際に、前記携帯端末装置とデータ授受を行うことを特徴とする。
【００１１】
また、本発明は、上記発明において、前記携帯端末装置は、前記かざし部を介して前記ＩＣカード端末とデータの送受信を行うＩＣカード端末用送受信手段と、前記データ集配信サーバとデータ送受信を行うサーバ用送受信手段と、前記ＩＣカード端末用送受信手段により前記ＩＣカード端末から受信した受信データを記憶する記憶手段と、前記かざし部との間で送受信可能状態となった際に、前記ＩＣカード端末用送受信手段により前記ＩＣカード端末に蓄積したデータを受信して前記記憶手段に記憶するとともに、前記データ集配信サーバとの間で送受信可能状態となった際に、前記記憶手段に記憶したデータを前記サーバ用送受信手段により前記データ集配信サーバに送信するよう制御する制御手段とを備えたことを特徴とする。
【００１２】
また、本発明は、上記発明において、前記記憶手段は、前記ＩＣカード端末が前記ＩＣカードとの間で取引処理した取引ログ、イベント発生時に記憶したイベントログ及び／又は装置情報を前記データとして記憶することを特徴とする。
【００１３】
また、本発明は、上記発明において、前記記憶手段は、前記サーバ用送受信手段により前記データ集配信サーバから受信したデータを記憶し、前記制御手段は、前記かざし部との間で送受信可能状態となった際に、前記記憶手段に記憶したデータを前記ＩＣカード端末用送受信手段により前記ＩＣカード端末に送信するよう制御することを特徴とする。
【００１４】
また、本発明は、上記発明において、前記制御手段は、所定の入力部を用いて入力された各ＩＣカード端末個別の端末設定情報若しくは動作指示情報を前記記憶手段に記憶したデータとともに各ＩＣカード端末に送信制御することを特徴とする。
【００１５】
また、本発明は、上記発明において、前記記憶手段は、前記ＩＣカード端末に設定するファームウエア、端末設定データ若しくは動作指示を前記データとして記憶することを特徴とする。
【００１６】
また、本発明は、上記発明において、前記ＩＣカード端末は、前記ＩＣカードの待ち受け状態中に所定の識別情報を受け付けた際に、該所定の識別情報の送信主が前記ＩＣカード若しくは前記携帯端末装置のいずれであるかを判定する判定手段と、前記判定手段により前記携帯端末装置であると判定された場合に、前記携帯端末装置とデータ送受信を行う送受信手段とを備えたことを特徴とする。
【００１７】
また、本発明は、上記発明において、前記ＩＣカード端末は、前記ＩＣカードの待ち受け状態中に前記ＩＣカード若しくは携帯端末装置の接近を自動検知する自動検知手段をさらに備え、前記判定手段は、前記自動検知手段により検知された対象が前記ＩＣカード若しくは前記携帯端末装置のいずれであるかを判定することを特徴とする。
【００１８】
また、本発明は、上記発明において、前記ＩＣカードは内部にアンテナを有する非接触ＩＣカードであり、前記かざし部は前記ＩＣカード若しくは前記携帯端末装置との間で非接触状態でのデータ送受信を行うことを特徴とする。
【００１９】
また、本発明は、上記発明において、前記ＩＣカード端末と前記携帯端末装置との間では、通信異常時発生時の復旧処理並びに認証処理を含むプロトコルでデータ送受信を行うことを特徴とする。
【発明の効果】
【００２０】
本発明によれば、携帯端末装置がＩＣカードに成りすましてかざし部を介してＩＣカード端末とデータ送受信を行い、ＩＣカード端末が携帯端末装置とかざし部を介して通信可能状態となった際に携帯端末装置とデータ授受を行うよう構成したので、ＩＣカード端末の基本機能として設けられているかざし部（ＩＣカードとの通信用）を用いて携帯端末装置と通信することができる。これにより、ＩＣカード端末にケーブル接続用インターフェースや赤外線インターフェースを設けずともＩＣカード端末とデータ集配信サーバとの間で取引ログの吸い上げやファームウエアの転送等を効率良く行うことが可能となる。
【００２１】
また、本発明によれば、かざし部を介してＩＣカード端末とデータの送受信を行うインターフェースと、データ集配信サーバとデータ送受信を行うインターフェースとを携帯端末装置に設けるとともに、かざし部との間で送受信可能状態となった際に、ＩＣカード端末に蓄積したデータを受信して記憶するとともに、データ集配信サーバとの間で送受信可能状態となった際に、記憶したデータをデータ集配信サーバに送信するよう制御するよう構成したので、かざし部を介して取得した取引ログ等のデータを携帯端末装置に吸い上げて一時記憶するとともに、該一時記憶した取引ログ等のデータをデータ集配信サーバに送信することができる。
【００２２】
また、本発明によれば、ＩＣカード端末がＩＣカードとの間で取引処理した取引ログ、イベント発生時に記憶したイベントログ及び／又は装置情報を記憶するよう構成したので、取引データに代表される大量のログデータや装置情報等を効率良くＩＣカード端末から携帯端末装置に吸い上げてデータ集配信サーバに送信することができる。
【００２３】
また、本発明によれば、データ集配信サーバから受信したデータを記憶し、かざし部との間で送受信可能状態となった際に、記憶したデータをＩＣカード端末に送信制御するよう構成したので、携帯端末装置を介してデータ集配信サーバからＩＣカード端末に効率良くデータ転送することができる。
【００２４】
また、本発明によれば、所定の入力部を用いて入力された各ＩＣカード端末個別の端末設定情報若しくは動作指示情報を記憶したデータとともに各ＩＣカード端末に送信制御するよう構成したので、データ集配信サーバから受け取ったデータだけではなく、装置上で入力された端末設定情報若しくは動作指示情報についても一緒に転送することができる。
【００２５】
また、本発明によれば、ＩＣカード端末に設定するファームウエア、端末設定データ若しくは動作指示を記憶するよう構成したので、ＩＣカード端末上で必要となるファームウエア等の各種データを携帯端末装置を介してデータ集配信サーバからＩＣカード端末に効率良くデータ転送することができる。
【００２６】
また、本発明によれば、ＩＣカード端末が、ＩＣカードの待ち受け状態中に所定の識別情報を受け付けた際に、該所定の識別情報の送信主がＩＣカード若しくは携帯端末装置のいずれであるかを判定し、携帯端末装置であると判定された場合に、携帯端末装置とデータ送受信を行うよう構成したので、かざし部を介してＩＣカード及び携帯端末装置と通信可能とし、そのいずれであるかを判定できるため、本来ＩＣカードとのデータ通信に必要なインターフェース部（かざし部を含む）を利用しつつ効率良く携帯端末装置と通信することができる。
【００２７】
また、本発明によれば、ＩＣカード端末が、ＩＣカードの待ち受け状態中にＩＣカード若しくは携帯端末装置の接近を自動検知し、検知された対象がＩＣカード若しくは携帯端末装置のいずれであるかを判定するよう構成したので、ＩＣカードを待ち受けるポーリング中に携帯端末装置が近接した場合に、通信対象が携帯端末装置であることを自動判定することができる。
【００２８】
また、本発明によれば、ＩＣカードは内部にアンテナを有する非接触ＩＣカードであり、かざし部はＩＣカード若しくは携帯端末装置との間で非接触状態でのデータ送受信を行うよう構成したので、鉄道会社や航空会社等が採用し普及しつつある非接触ＩＣカードのＩＣカード端末にも対応することができる。
【００２９】
また、本発明によれば、ＩＣカード端末と携帯端末装置との間では、通信異常発生時の復旧処理並びに認証処理を含むプロトコルでデータ送受信を行うよう構成したので、単にＩＣカードとのデータ授受を行うプロトコルを採用するのではなく、ＩＣカード端末と携帯端末装置の間では大量の取引ログの授受に適したプロトコルでデータ授受を行うことができる。
【発明を実施するための最良の形態】
【００３０】
以下に添付図面を参照して、本発明に係るＩＣカードシステムの好適な実施例を詳細に説明する。なお、ここでは本発明を非接触ＩＣカードシステムに適用した場合を示すこととするが、本発明は接触型のＩＣカードシステムの場合にも適用することができる。
【実施例】
【００３１】
まず、本実施例に係るＩＣカードシステムの概念について説明する。図１は、本実施例に係るＩＣカードシステムの概念を説明するための説明図である。同図に示すＩＣカードシステムは、ＩＣカード端末１１のカードかざし部１２にＩＣカード１０がかざされた場合に、ＩＣカード１０とＩＣカード端末１１の間で決済取引等のデータ授受を行うものである。したがって、このＩＣカード端末１１内には取引ログ等のデータが蓄積されることになるので、この取引ログをデータ集配信サーバ１３に吸い上げる必要が生ずる。また、ＩＣカード端末１１に新たなファームウエア等を設定する場合には、データ集配信サーバ１３からＩＣカード端末１１に対してファームウエアを転送する必要が生ずる。
【００３２】
このため、従来は、ＩＣカード端末１１とデータ集配信サーバ１３をケーブル接続して両者の間で集配信データの授受を行っていたわけであるが、これでは装置の配置変更等を行う場合にケーブルの取り回しが大変になる。加えて、ケーブル接続に伴うインターフェースをＩＣカード端末１１に付加する必要が生じるため、装置のコストアップを招いてしまう。
【００３３】
そこで、図１に示した本実施例に係るＩＣカードシステムでは、集配信データを受け渡すためのハンディ端末１４を設け、このハンディ端末１４がＩＣカードに成りすましてカードかざし部１２を介したＩＣカード端末１１とのデータ授受を行うよう構成し、これによりＩＣカード端末１１に集配信データ送受信用のインターフェースを設けなくとも集配信データをデータ集配信サーバ１３との間で受け渡しできるようにしている。
【００３４】
例えば、ＩＣカード端末１１に蓄積した取引ログをデータ集配信サーバ１３に吸い上げる場合には、操作者は、まずＩＣカード１０でカード取引する場合と同様にハンディ端末１４をカードかざし部１２にかざす。これにより、ＩＣカード端末１１はハンディ端末１４とデータ授受可能となったことを認識し、装置内部に蓄積した取引ログをハンディ端末１４に送信し、この取引ログを受信したハンディ端末１４は、図示しない記憶部に取引ログを記憶する。その後、操作者がハンディ端末１４を持参してデータ集配信サーバ１３に赴いてデータ集配信サーバ１３と例えば赤外線通信等の通信を行い、記憶部に記憶した取引ログをデータ集配信サーバ１３に送信することにより、もともとＩＣカード端末１１に蓄積されていた取引ログをデータ集配信サーバ１３に受け渡すことが可能となる。
【００３５】
ＩＣカード１０は、プラスチックカードの内部にＩＣチップとアンテナコイルが設けられた非接触型ＩＣカードである。なお、このＩＣカード１０は、ＩＳＯ１４４４３に規定される近接型、ＩＳＯ１０５３６に規定される密接型又はＩＳＯ１５６９３に規定される近傍型のいずれでも良く、それ以外のものでも構わない。
【００３６】
ＩＣカード端末１１は、カードかざし部１２にかざされたＩＣカード１０との間でデータ授受を行ってカード取引を行うリーダライタ装置であり、具体的にはＩＣカード１０との間で電子マネーによる取引決済等を行いその取引ログを記憶する処理を行う。なお、このＩＣカード端末１１の具体的な構成については後述する。
【００３７】
データ集配信サーバ１３は、ＩＣカード端末１１との間で集配信データの授受を行うサーバ装置であり、ハードディスク装置等の記憶媒体と赤外線通信機能を有する一般のパーソナルコンピュータにより形成される。なお、ここでは説明の便宜上、データ集配信サーバ１３とハンディ端末１４との間で赤外線通信によりデータの受け渡しを行う場合について説明するが、このデータ集配信サーバ１３とハンディ端末１４との間の通信手段はいかなるものであっても良い。
【００３８】
ハンディ端末１４は、ＩＣカード端末１１とデータ集配信サーバ１３の間で集配信データを受け渡す際の橋渡し役を担う携帯端末装置である。つまり、操作者が、集配信データの集積若しくは配信を行いたい場合には、このハンディ端末１４を持参してＩＣカード端末１１若しくはデータ集配信サーバ１３に赴けばその目的を達成できる。なお、このハンディ端末１４の具体的な構成についても後述する。
【００３９】
次に、図１に示したＩＣカード端末１１の構成について具体的に説明する。図２は、図１に示したＩＣカード端末１１の構成を示す機能ブロック図である。同図に示すように、このＩＣカード端末１１は、判定処理部１１ａ、カード処理部１１ｂ、通信処理部１１ｃ、記憶部１１ｄ、制御部１１ｅ及びカードかざし部１２とを有する。
【００４０】
判定処理部１１ａは、ポーリングを行っているカードかざし部１２から識別情報（ＩＤ番号）を受け取った際に、このＩＤ番号に基づいて通信相手がＩＣカード１０であるかハンディ端末１４であるかを判定する処理部である。従来は、カードかざし部１２にかざされる対象がＩＣカード１０のみであったためかかる判定処理部１１ａは必要なかったが、本実施例では、ハンディ端末１４をＩＣカード１０の如くに扱うことによって余分なインターフェースを設けないよう構成したため、かかる判定処理部１１ａが意味を持つのである。
【００４１】
カード処理部１１ｂは、ＩＣカード１０との間で本来の取引処理を行う処理部であり、例えばＩＣカード１０内に電子マネーが保持されているような場合には、かかる電子マネーを用いた取引決済処理等を行う。なお、かかるカード処理部１１ｂの処理自体は本発明の特徴部分ではないので、いかなる処理を行うこととしても構わない。
【００４２】
通信処理部１１ｃは、ＩＣカード１０との通信処理及びハンディ端末１４との通信処理を行う処理部である。ここで、ハンディ端末１４との通信処理を行う際には、ＩＣカード１０との通信処理と異なり、通信異常時の再送信等の復旧処理や認証処理を行い通信の冗長性並びにセキュリティを考慮した通信処理を行うこととしている。かかる処理を行う理由は、ハンディ端末１４が取り扱う取引ログ等のデータは大容量かつ重要なものが多いからである。ただし、両者の通信処理を共用化して両者ともに冗長性及びセキュリティを考慮した通信処理としても構わない。
【００４３】
記憶部１１ｄは、ＩＣカード１０との取引決済に係る取引ログデータ、イベント発生時のイベントログデータ及び装置性能諸元等の装置データ等を記憶する記憶デバイスである。なお、この記憶部１１ｄは不揮発性メモリやハードディスク等で形成することができる。
【００４４】
制御部１１ｅは、ＩＣカード端末１１の全体制御を行う制御部であり、カードかざし部１２によるポーリング制御やカード処理部１１ｂによる取引処理時に記憶部１１ｄに取引ログデータを蓄積する制御等を行う。
【００４５】
次に、図１に示したハンディ端末１４の構成について具体的に説明する。図３は、図１に示したハンディ端末１４の構成を示す機能ブロック図である。同図に示すように、このハンディ端末１４は、テンキー１４ａ、表示部１４ｂ、記憶部１４ｃ、アンテナ部１４ｄ、通信処理部１４ｅ、データ管理部１４ｆ及び制御部１４ｇを有する。なお、図示省略したが、このハンディ端末１４はＩＣカード端末１１のように電磁波を電源とするのではなく専用電源を有している。
【００４６】
テンキー１４ａは、記憶部１４ｃに記憶した複数のファームウエアのうちＩＣカード端末１１に設定するファームウエアを選択する等の場合に利用する入力デバイスであり、表示部１４ｂは、かかる場合に利用する表示デバイスである。
【００４７】
記憶部１４ｃは、ＩＣカード端末１１及びデータ集配信サーバ１３から取得したデータを記憶する記憶デバイスであり、不揮発性メモリやハードディスク等の二次記憶媒体により形成される。アンテナ部１４ｄは、カードかざし部１２を介した非接触通信に利用される通信アンテナとデータ集配信サーバ１３との赤外線通信の際に利用される赤外線窓を含むアンテナ部である。
【００４８】
通信処理部１４ｅは、カードかざし部１２を介したＩＣカード端末１１との間の通信処理と、データ集配信サーバ１３との赤外線通信処理との両機能を有する通信処理部である。具体的には、ＩＣカード端末１１との間の通信処理を行う際には、すでに説明したＩＣカード端末１１内の通信処理部１１ｃと同様に機能することになる。なお、ＩＣカード端末１１との通信を開始する際には識別情報（ＩＤ番号）を送信する。
【００４９】
データ管理部１４ｆは、記憶部１４ｃに記憶したファームウエア等の配信データや取引ログ等の集信データを管理する管理部であり、テンキー１４ａを操作しつつ表示部１４ｂ上でいかなるデータが存在するか、どのデータを配信するか等を操作可能とされている。
【００５０】
制御部１４ｇは、ハンディ端末１４を全体制御する制御部であり、ＩＣカード端末１１若しくはデータ集配信サーバ１３との間で授受する集配線データの記憶部１４ｃへの読み書き制御等を行う。
【００５１】
次に、図２に示したＩＣカード端末１１の処理手順について説明する。図４−１は、図２に示したＩＣカード端末１１の処理手順を示すフローチャートであり、図４−２は、図２に示したハンディ端末１４の処理手順を示すフローチャートである。
【００５２】
図４−１及び図４−２に示すように、ＩＣカード端末１１は、通常の待ち受け状態ではカードかざし部１２を介してＩＣカード１０若しくはハンディ端末１４からＩＤ番号を受信するポーリング状態にある（ステップＳ１０１否定）。このポーリング状態とは、ＩＣカード１０及びハンディ端末１４に対する呼びかけのコマンド処理をしている状態であり、ＩＣカード１０又はハンディ端末１４がかざされると、ユニークなＩＤ番号等を受信することになる。
【００５３】
そして、ハンディ端末１４がＩＣカード端末１１のポーリングに応答してＩＤ番号を送信し（ステップＳ２０１）、ＩＣカード端末１１がかかるＩＤ番号を受信したならば（ステップＳ１０１肯定）、受信したＩＤ番号がハンディ端末１４のものであるか否かを確認し（ステップＳ１０２）、ハンディ端末１４のＩＤ番号でない場合には（ステップＳ１０２否定）、ＩＣカード１０のＩＤ番号であるとみなしてすでに説明した電子マネーの取引決済等のＩＣカード処理を行う（ステップＳ１０３）。
【００５４】
これに対して、ハンディ端末１４のＩＤ番号である場合には（ステップＳ１０２肯定）、ハンディ端末１４と通信の確立処理を行う（ステップＳ１０４、ステップＳ２０２）。具体的には、ハンディ端末１４とのＲ／Ｗ（リード／ライト）間通信中のフラグを立てて、ＩＣカード１０とのＲ／Ｗ使用を禁止することとなる。なお、非接触でデータ通信を行う場合には無線通信となるので、通信が途切れる事態が生じ得る。かかる場合に備えて、本実施例では通信が途切れた場合に復旧できるようデータ通信の冗長性を持たせることとしている。
【００５５】
その後、ＩＣカード端末１１は、ハンディ端末１４との間でパスワードや暗号鍵を用いた相互認証処理を行う（ステップＳ１０５、ステップＳ２０３）。なお、認証後のＩＣカード端末１１とハンディ端末１４との間の通信は、双方認証時に取り決めた暗号方式を用いて外部から傍受できない措置を講じている。
【００５６】
その後、ＩＣカード端末１１は、ハンディ端末１４との間で集配信データの送受信を行う（ステップＳ１０６、ステップＳ２０４）。具体的には、ハンディ端末１４上に未配送の配信データが存在する場合には、かかる配信データをＩＣカード端末１１が受信し、ＩＣカード端末１１上に取引ログ等の集信データが存在する場合には、かかる集信データをハンディ端末１４に送信する。
【００５７】
かかる一連の処理を電源がオフされるまで繰り返し（ステップＳ１０７否定）、電源がオフされた場合に（ステップＳ１０７肯定）上記一連の処理を終了することになる。
【００５８】
なお、上記ステップＳ１０５に示したＩＣカード端末１１の認証処理において、ハンディ端末１４に固有ＩＤを通知し、上記ステップＳ２０３に示したハンディ端末１４の認証処理において、ＩＣカード端末１１の固有ＩＤを受け取ることとし、上記ステップＳ２０４に示したハンディ端末１４のデータ送受信処理において、固有ＩＤをもとに未送信の配信データを検索して自動送信することもできる。また、ＩＣカード端末１１から受信したデータを固有ＩＤに対応した集信データとして記憶部１４ｃに記憶することもできる。
【００５９】
次に、本実施例に係るＩＣカードシステムをゲームセンタに配設されたゲーム機に適用した場合の一例について説明する。ここでは、図１に示したＩＣカード端末１１がＩＣカード制御ユニットとしてゲーム機内に配設されているものとする。
【００６０】
図５は、データ集配信サーバ１３内の配信データをゲーム機２０に配信する場合の概略を説明するための説明図である。同図に示すように、データ集配信サーバ１３内にファームウエア等の配信データＡ、配信データＢ及び配信データＣが存在する場合には、作業員スペースにおいて作業員がハンディ端末１４をデータ集配信サーバ１３に近接させて赤外線通信を行い、これらの配信データＡ〜Ｃをハンディ端末１４上に記憶する。
【００６１】
その後、作業員はハンディ端末１４を持参して店内のゲーム機２０の場所に赴き、ゲーム機２０に設けられたＩＣカードかざし部２１にハンディ端末１４をかざし、配信データＡを送信する旨の操作を行う。
【００６２】
かかるハンディ端末１４がかざされたことを検知したＩＣカード制御ユニット２２は、ハンディ端末１４のＩＤ番号をもとにＩＣカード１０ではなくハンディ端末１４であることを確認し、その後配信データＡを受信する処理を行う。
【００６３】
上記一連の処理を行うことにより、データ集配信サーバ１３内の配信データをゲーム機２０に配信することが可能となる。なお、配信データＢ及び配信データＣをハンディ端末１４に記憶させた理由は、かかる配信データＢ及び配信データＣを店内に配設された図示しない別のゲーム機２０に配信することを想定したからである。なお、データ集配信サーバ１３内の配信データとともにテンキー１４ａにより入力された各ＩＣカード端末個別の端末設定情報若しくは動作指示情報を各ＩＣカード端末に送信制御することもできる。
【００６４】
図６は、ゲーム機２０内の集信データをデータ集配信サーバ１３に集信する場合の概略を説明するための説明図である。同図に示すように、店内に配設されたゲーム機２０の取引ログデータ等の集信データを集信する場合には、ハンディ端末１４を持参した作業員が店内のゲーム機２０の場所に赴き、ゲーム機２０に設けられたＩＣカードかざし部２１にハンディ端末１４をかざし、集信データＸを受信する旨の操作を行う。
【００６５】
このようにしてハンディ端末１４に集信データＸを取得したならば、作業員は図示しない他のゲーム機から同様に集信データＹ及び集信データＺを取得する。その後、作業員はこのハンディ端末１４を持参して作業員スペースのデータ集配信サーバ１３の場所に赴き、赤外線通信を行って集信データＸ〜Ｚをデータ集配信サーバ１３に送信する。
【００６６】
上記一連の処理を行うことにより、ゲーム機２０内の集信データをデータ集配信サーバ１３に集信することが可能となる。なお、ここでは集配信を別個に行う場合を示したが、ハンディ端末１４を近接した段階で自動的に未配信分のデータを集配信するよう構成することもできる。
【００６７】
上述してきたように、本実施例では、集配信データを受け渡すためのハンディ端末１４を設け、このハンディ端末１４がＩＣカードに成りすましてカードかざし部１２を介したＩＣカード端末１１とのデータ授受を行うよう構成したので、これによりＩＣカード端末１１に集配信データ配送用のインターフェースを設けなくとも集配信データをデータ集配信サーバ１３との間で受け渡しを行うことが可能となる。
【００６８】
なお、本実施例では、本発明を非接触ＩＣカードシステムに適用した場合を示したが、本発明はこれに限定されるものではなく、かざし部にＩＣカードを接触させる接触型ＩＣカードシステムについても同様に適用することができる。
【産業上の利用可能性】
【００６９】
本発明にかかるＩＣカードシステムは、ＩＣカード端末とこのＩＣカード端末との間でデータの集配信を行うデータ集配信サーバとの間のデータ授受を安価にかつ効率良く行う場合に有用である。
【図面の簡単な説明】
【００７０】
【図１】本実施例に係るＩＣカードシステムの概念を説明するための説明図である。
【図２】図１に示したＩＣカード端末の構成を示す機能ブロック図である。
【図３】図１に示したハンディ端末の構成を示す機能ブロック図である。
【図４−１】図２に示したＩＣカード端末の処理手順を示すフローチャートである。
【図４−２】図２に示したハンディ端末の処理手順を示すフローチャートである。
【図５】データ集配信サーバ内の配信データをゲーム機に配信する場合の概要を説明するための説明図である。
【図６】ゲーム機内の集信データをデータ集配信サーバに集信する場合の概要を説明するための説明図である。
【図７】従来のＩＣカードシステムを説明するための説明図である。
【符号の説明】
【００７１】
１０  ＩＣカード
１１  ＩＣカード端末
１１ａ  判定処理部
１１ｂ  カード処理部
１１ｃ  通信処理部
１１ｄ  記憶部
１１ｅ  制御部
１２  カードかざし部
１３  データ集配信サーバ
１４  ハンディ端末
１４ａ  テンキー
１４ｂ  表示部
１４ｃ  記憶部
１４ｄ  アンテナ部
１４ｅ  通信処理部
１４ｆ  データ管理部
Ａ，Ｂ，Ｃ  配信データ
Ｘ，Ｙ，Ｚ  集信データ
【図１】
2006243970.tif 000003
【図２】
2006243970.tif 000004
【図３】
2006243970.tif 000005
【図４−１】
2006243970.tif 000006
【図４−２】
2006243970.tif 000007
【図５】
2006243970.tif 000008
【図６】
2006243970.tif 000009
【図７】
2006243970.tif 000010